(57)【要約】【課題】印刷された書籍を一つの画像情報をもとに、閲覧機器に応じた最適化処理を行うことにより、一つの受付窓口から他種類の形式の電子書籍を生成するようにして、閲覧者の利便性を高めることを課題とする。【解決手段】画像変換された電子書籍情報を、閲覧者からの要求に基づいて閲覧者の閲覧機器に送信する電子書籍の提供方法であって、前記電子書籍情報を所定の形式で保存しておき、閲覧者からの閲覧要求に基づいて、要求された電子書籍情報を、前記閲覧機器の閲覧システムに最適な画像形式とする最適化処理を行った後に前記閲覧機器への送信可能状態にする。【選択図】図３
2012257189.tif 000002
【特許請求の範囲】
【請求項１】
画像変換された電子書籍情報を、閲覧者からの要求に基づいて閲覧者の閲覧機器に送信する電子書籍の提供方法であって、前記電子書籍情報を所定の形式で保存しておき、閲覧者からの閲覧要求に基づいて、要求された電子書籍情報を、前記閲覧機器の閲覧システムに最適な画像形式とする最適化処理を行った後に、前記閲覧機器への送信可能状態にすることを特徴とする電子書籍の提供方法。
【請求項２】
前記最適化処理が、画像の傾き補正、コントラスト調整、明るさ調整、文字の輪郭調整、背景色の調整、裏写りの除去処理、モアレ調整、余白の削除処理のうち、少なくとも裏写りの除去処理、余白の削除処理を含むことを特徴とする請求項１に記載の電子書籍の提供方法。
【請求項３】
前記画像変換された電子書籍情報が、本文情報と、本文情報を表示する領域よりも外側の余白領域を示す余白情報と、余白領域内に表示されるタイトルやページ番号等の付加情報と、を含み、
前記余白の削除処理では、前記付加情報も余白情報として削除処理することを特徴とする請求項２に記載の電子書籍の提供方法。
【請求項４】
前記電子書籍情報を用いて表示される表示領域を、前記本文情報の表示領域と、前記付加情報の表示領域とに分類した後に、前記余白の削除処理を行うことを特徴とする請求項２又は３に記載の電子書籍の提供方法。
【請求項５】
前記余白の削除処理が、前記本文情報を用いて表示される領域を取り囲むように最小ピクセルの矩形線を付加することにより本文情報領域を確定させる情報領域確定処理を含むことを特徴とする請求項２〜４の何れかに記載の電子書籍の提供方法。
【請求項６】
前記余白の削除処理が、前記付加情報の表示領域をページの隅からの距離で算出する処理と、その表示領域のページに対する横幅及び縦幅の関係を算出する処理と、それらの算出結果に基づいて付加情報か否かを判断する処理と、を含むことを特徴とする請求項２〜４の何れかに記載の電子書籍の提供方法。
【請求項７】
前記閲覧者からの要求が、前記閲覧機器からの通信によって行われることを特徴とする請求項１〜６の何れかに記載の電子書籍の提供方法。
【請求項８】
前記閲覧者からの要求が、前記閲覧機器からの通信によって行われるとともに、この閲覧機器の閲覧システムの情報が、前記通信の信号とともに送信されることを特徴とする請求項１〜７の何れかに記載の電子書籍の提供方法。
【請求項９】
前記最適化処理は、裏写りの除去処理を行ったあと、余白の削除処理を行うことを特徴とする請求項２〜８の何れかに記載の電子書籍の提供方法。
【発明の詳細な説明】
【技術分野】
【０００１】
本発明は、印刷物等の書籍を画像変換して生成された電子書籍を、電子情報として閲覧者に提供するための電子書籍の提供方法に関するものである。
【背景技術】
【０００２】
従来、携帯の便利さや保管スペースが少なくてすむ等の理由から、印刷された書籍をスキャナー等の画像取り込み機器を用いて画像情報に変換し電子書籍化することが行われている。
【０００３】
ところで、このような電子書籍化においては、電子化した際の１ページあたりのデータ量が大きく、限られた記憶容量の記録媒体に保存できる書籍の数が限られてしまうといった問題点や、ページの切り替え時間が長いといった問題点が指摘されている。
【０００４】
このような問題点を解消するには、電子化した際のデータ量を極力小さくする必要があり、そのために、画像を取り込む際に、たとえば、閲覧に供される情報を取り囲んで存在する余白部分を省いて画像を取り込むことが提案されている（特許文献１）。
【先行技術文献】
【特許文献】
【０００５】
【特許文献１】特開２００３−８８６２号公報
【発明の概要】
【発明が解決しようとする課題】
【０００６】
ところで、近年では、電子書籍を閲覧するための閲覧機器として、パーソナルコンピュータのみならず、携帯電話や書籍リーダーといった携帯して使用する電子機器が多く出現し、これらの閲覧機器で電子書籍を閲覧する機会が増えている。
【０００７】
そして、これらの閲覧機器では、電子書籍の表示やページめくり等の操作をするためのアプリケーションが、閲覧機器毎若しくは製造メーカー毎に異なるため、提供する電子書籍の形式もその閲覧機器毎若しくは製造メーカー毎に特化したものとなっている。
このために、一つの閲覧機器で閲覧可能な電子書籍が他の閲覧機器では閲覧できないという不具合が生じている。
【０００８】
したがって、閲覧希望者は、自身の使用している閲覧機器に対応した形式の電子書籍を選んで入手する必要があり、かつ、その入手先を探す手間が必要となっている。
【０００９】
そこで本発明は、印刷された書籍を一つの画像情報をもとに、閲覧機器に応じた最適化処理を行うことにより、一つの受付窓口から他種類の形式の電子書籍を生成するようにして、閲覧者の利便性を高めることを課題とする。
【課題を解決するための手段】
【００１０】
上記課題を解決するために、請求項１に記載の発明は、画像変換された電子書籍情報を、閲覧者からの要求に基づいて閲覧者の閲覧機器に送信する電子書籍の提供方法であって、前記電子書籍情報を所定の形式で保存しておき、閲覧者からの閲覧要求に基づいて、要求された電子書籍情報を、前記閲覧機器の閲覧システムに最適な画像形式とする最適化処理を行った後に、前記閲覧機器への送信可能状態にすることを特徴としている。
【００１１】
このような構成とすることによって、一つの画像情報から、使用する閲覧機器に応じた電子書籍情報が生成されるので、利用者は、使用している閲覧機器を気にせずに閲覧要求することができ、利便性が大幅に向上する。
また、提供者側においては、元の画像情報が一つで、これを元に各種の閲覧機器に対応することができることから、多数の閲覧機器に特化した処理に比して、大幅な作業の短縮を図ることができ、かつ、納期の短縮も図ることができる。
【００１２】
請求項２に記載の発明は、請求項１に記載の前記最適化処理が、画像の傾き補正、コントラスト調整、明るさ調整、文字の輪郭調整、背景色の調整、裏写りの除去処理、モアレ調整、余白の削除処理のうち、少なくとも裏写りの除去処理、余白の削除処理を含むことを特徴としている。
【００１３】
このような最適化処理を行うことにより、閲覧機器に応じた適切な表示がなされ、閲覧者においては見やすい読みやすい環境を享受できる。また、少なくとも裏写りの除去処理、余白の除去処理を行うことで、裏写りのないきれいな画像表示、データ量の軽減、表示速度の向上等を図ることができる。
【００１４】
請求項３に記載の発明は、前記画像変換された電子書籍情報が、本文情報と、本文情報を表示する領域よりも外側の余白領域を示す余白情報と、余白領域内に表示されるタイトルやページ番号等の付加情報と、を含み、
前記余白の削除処理では、前記付加情報も余白情報として削除処理することを特徴としている。このように処理することで、データ量の軽減、表示速度の向上等をさらに効率的に図ることができる。
【００１５】
請求項４に記載の発明は、前記電子書籍情報を用いて表示される表示領域を、前記本文情報の表示領域と、前記付加情報の表示領域とに分類した後に、前記余白の削除処理を行うことを特徴としている。このようにすることで、余白の削除処理を確実に行うことができる。
【００１６】
請求項５に記載の発明は、請求項２に記載の前記余白の削除処理が、前記本文情報を用いて表示される領域を取り囲むように最小ピクセルの矩形線を付加することにより本文情報領域を確定させる情報領域確定処理を含むことを特徴とするものである。
【００１７】
このような矩形線による情報領域の確定により、閲覧機器において、矩形線を基準とした表示領域の設定が可能となって、不必要な拡大縮小を避けることができる。
【００１８】
請求項６に記載の発明は、前記余白の削除処理が、前記付加情報の表示領域をページの隅からの距離で算出する処理と、その表示領域のページに対する横幅及び縦幅の関係を算出する処理と、それらの算出結果に基づいて付加情報か否かを判断する処理と、を含むことを特徴としている。この処理により、付加情報か否かの判断をさらに確実に行うことができる。
【００１９】
また、請求項７に記載の発明は、前記閲覧者からの要求が、前記閲覧機器からの通信によって行われることを特徴とするものである。
【００２０】
このような構成とすることにより、閲覧者は電子書籍を容易に発注し入手することができる。
【００２１】
さらに、請求項８に記載の発明は、前記閲覧者からの要求が、前記閲覧機器からの通信によって行われるとともに、この閲覧機器の閲覧システムの情報が、前記通信の信号とともに送信されることを特徴とするものである。
【００２２】
このような構成とすることにより、閲覧の要求を通信で行った時点で、使用する閲覧機器の閲覧システムが通知されることになり、閲覧者は希望する電子書籍を要求するのみで済み、作業がさらに簡便なものとなる。
また、提供者側においては、提供する電子書籍の形式を取り違えることがなくなる。
前記通信は、有線・無線を問わない。
【００２３】
請求項９に記載の発明は、前記最適化処理について、裏写りの除去処理を行ったあと、余白の削除処理を行うことを特徴とするものである。
【００２４】
このような最適化処理とすることにより、処理するデータ量を減らすことができ、処理速度の向上を図ることができる。
【発明の効果】
【００２５】
本発明によれば、印刷された書籍を一つの画像情報をもとに、閲覧機器に応じた最適化処理を行うことにより、一つの受付窓口から他種類の形式の電子書籍を生成するようにして、作業性を大幅に高めることができ、かつ、閲覧者は、使用している閲覧機器を気にせずに閲覧要求することができ、利便性が大幅に向上する。
また、提供者側においては、元の画像情報が一つで、これを元に各種の閲覧機器に対応することができることから、多数の閲覧機器に特化した処理に比して、大幅な作業の短縮を図ることができ、かつ、納期の短縮も図ることができる。
【図面の簡単な説明】
【００２６】
【図１】本発明の一実施形態を実施するための装置の概略構成図である。
【図２】本発明の一実施形態を実施するための装置の画像処理部の構成を示すブロック図である。
【図３】本発明の一実施形態を説明するための処理フローチャートである。
【図４】本発明の一実施形態に係る余白の削除処理を説明する図である。
【図５】本発明の他の実施形態を実施するための装置の概略構成図である。
【発明を実施するための形態】
【００２７】
以下、本発明の一実施形態を図１ないし図４を参照して説明する。
図１は、本発明を実施するための装置（電子書籍提供システム）の概略構成図であり、図中符号１は閲覧者、２ないし４は電子書籍の元データを構成する画像情報が保存された記憶装置（画像蓄積部）、５ないし７は前記画像情報を最適化処理するチューニングサーバー、８は閲覧者との応答を行う受付サーバー、９は、前記受付サーバー８からの情報に基づき、前記複数の記憶装置２・３・４から目的の電子書籍情報を取り出し、この電子書籍情報を、前記複数のチューニングサーバー５・６・７の内の負荷の軽いチューニングサーバーを選択して送り込むセントラルサーバーをそれぞれ示している。
【００２８】
図２は、本発明を実施するための電子書籍提供システムの画像処理部２０の一例を示すブロック図である。この例では、受付サーバー８、セントラルサーバー９、チューニングサーバー５（６、７）、画像蓄積部２（３、４）に加えて、画像読み取り部１１を備えている。この画像読み取り部１１は、例えばスキャナーを備え、このスキャナーで書籍をページごとに読み込んで、電子書籍の元データを生成し、画像蓄積部２（３、４）にその元データを送り込んで保存する。
【００２９】
チューニングサーバー５（６、７）は、図２に示すように、それぞれが、画像の各種調整、編集、補正、拡大、縮小等の画像の処理全般を行う画像処理部２０を備えている。この実施形態での画像処理部２０は、画像データ取得部２１、傾き補正部２２、コントラスト調整部２３、明るさ調整部２４、文字輪郭調整部２５、背景色調整部２６、裏写り除去処理部２７、モアレ調整部２８、余白検出部２９、余白削除処理部３０、表示サイズ調整部３１、矩形線加入処理部３２等を備えている。
【００３０】
チューニングサーバー５（６、７）は、それぞれがチューニングサーバーとしての画像処理を実行するに際して、予め定められたプログラムに従ってデジタル演算処理を実行するＣＰＵ、ＣＰＵの作業用メモリ等として用いられるＲＡＭ、処理プログラムや各種設定値等が格納されるＲＯＭ、フラッシュメモリ等の不揮発性メモリＮＶＭ、セントラルサーバー９とのＩ／Ｆ部、等を備えている。
【００３１】
そしてＣＰＵが、処理プログラムをＲＯＭから主記憶装置に読み込み、画像データ取得部２１、傾き補正部２２、コントラスト調整部２３、明るさ調整部２４、文字輪郭調整部２５、背景色調整部２６、裏写り除去処理部２７、モアレ調整部２８、余白検出部２９、余白削除処理部３０、表示サイズ調整部３１、矩形線加入処理部３２の各機能部の機能を実現させる。
【００３２】
ついで、図３を参照して本発明方法を説明する。
まず、閲覧者１から受付サーバー８へのアクセスに基づき本発明方法がスタートし、受付サーバー８において、閲覧者からの諸情報（氏名、閲覧する電子書籍情報、使用する閲覧機器情報等）が記録された後に、閲覧する電子書籍情報、使用する閲覧機器情報がセントラルサーバー９へ送られる。
【００３３】
セントラルサーバー９においては、閲覧者１からの閲覧要求の有無が判断され（Ｓ１）、有ることを条件として次のステップ（Ｓ２）へ移行する。
【００３４】
ステップＳ２では、閲覧要求に電子書籍の指定が有るか無いかが判断され、有ることを条件として、複数の記憶装置２ないし４から該当する電子書籍情報を取り込む（Ｓ３）。
【００３５】
ついで、前記閲覧要求に閲覧機器の閲覧システムの情報が有るか否かが判断され（Ｓ４）、有る場合には次のステップＳ５へ移行し閲覧システムの選定および取り込みがセントラルサーバー９において行われ、無い場合には閲覧機器の閲覧システムの情報が得られるまで待機する。
【００３６】
前記セントラルサーバー９で閲覧システムが取り込まれると、このセントラルサーバー９において負荷の少ないチューニングサーバー５（６・７）が選定されるとともに、選定されたチューニングサーバー５（６・７）へ、既に取り込まれている電子書籍の画像情報と閲覧機器の閲覧システムの情報が送り込まれ、次のステップＳ６へ移行する。
【００３７】
ステップＳ６においては、前記電子書籍の画像情報が、前記閲覧システムの情報に基づき最適化処理が行われる。
この最適化処理の内容は、図３の破線内に示すように、画像情報の傾き補正、コントラスト調整、明るさ調整、文字輪郭調整、背景色の調整、裏写りの除去処理、モアレの軽減ないしは除去処理、余白の除去処理、また、表示サイズの調整、さらには、必要に応じて、閲覧に供される画像情報を取り囲むように最小ピクセルの矩形線を付加することにより情報領域を確定させる情報領域確定処理等である。
【００３８】
このような処理により、情報量が少なく、見やすい読みやすい画像情報が生成される。
また、前述した矩形線による情報領域の確定により、矩形線を基準とした表示領域の設定が可能となって、不必要な拡大縮小が防止される。
【００３９】
このような最適化処理が終了すると、ステップＳ７へ移行し、次ページの有無が判断され、有る場合にはステップＳ８へ移行して次ページが読み込まれた後に、前記ステップＳ４以降の処理へ戻る。
ここで、閲覧システムの情報が固定されている場合には、ステップＳ８からステップＳ６へ移行する。
【００４０】
ステップＳ７において次ページが無いと判断された場合には、前ページの最適化処理が完了したこととなるから、最適化処理の完了した全ページを一つの電子書籍情報として保存し（Ｓ９）、完了通知を閲覧者１へ送信する（Ｓ１０）とともに、閲覧者による取り込み可能な状態にする。
【００４１】
次に、画像処理部２０の余白の削除処理について、図２及び図４を参照して具体的に説明する。
本のような書籍のページの構成は、図４に例示するように、ページ５０の中央部に本文情報５１、右上に文書タイトル５２、左上にサブタイトル５３、下にページ番号５４などがあるのが一般的である。また、スキャナーでスキャンした画像の境目、例えばページ５０の幅方向に対応する走査方向のエンド側の縁部５０ａに対応する画像の境目には、影線などが入る場合があることが知られている。
【００４２】
本発明の余白の削除処理では、これらも余白として削除し、本文情報５１のみの画像を切り出す処理を行う。
この処理では、まず、画像の二階調化を行い、黒い連続した点の集まりと、白い連続した領域のサイズで、図４において矩形状の枠線５ａ、５ｂ、５ｃ、５ｄで示すようにそれぞれの集合体に分類する。ここで、枠線５ａは本文情報領域を囲み、枠線５ｂ文書タイトル領域を囲み、枠線５ｃはサブタイトル領域を囲み、枠線５ｄはページ番号領域を囲んでいる。
【００４３】
次に、枠線５ａで囲まれる本文情報領域を切り出す際に、即ち、余白削除処理を行う際に、文書タイトル５２、サブタイトル５３、ページ番号５４、影線（図示せず）等の付加情報を余白情報と判断するか否かの処理について説明する。
【００４４】
付加情報のうち、文書タイトル５２、サブタイトル５３については、その付加情報の表示領域をページ５０の隅からの距離で算出する処理と、その表示領域のページ５０に対する横幅Ｙ及び縦幅Ｘの関係を算出する処理と、それらの算出結果に基づいて付加情報か否かを判断する処理とを行う。
【００４５】
具体的な数値例としては、文書タイトル５２の場合、その表示領域が、本の横幅の１／５以上外側（右端側）で、本の縦幅の１／１０以上外側（上端側）にあり、かつ、その表示領域の黒い点の集まりの縦サイズに対して横サイズが５倍以上あるものを文書タイトルとして判断する。
【００４６】
サブタイトル５３の場合、その表示領域が、本の横幅の１／５以上外側（左端側）で、本の縦幅の１／１０以上外側（上端側）にあり、かつ、その表示領域の黒い点の集まりの縦サイズに対して横サイズが５倍以上あるものをサブタイトルとして判断する処理を行う。
【００４７】
また、ページ番号５４については、ページ下部（下から１／５の領域）の黒い点の集まりで、ページ５０全体の面積に対して１／１００以下の領域をページ番号として判断する処理を行う。
【００４８】
したがって、これらの判断基準に適合する場合には、画像処理部２０の余白削除処理部３０では、文書タイトル５２、サブタイトル５３、ページ番号５４よりも内側の座標で、例えば枠線５ａの座標で画像を切り取り、実質的に本文抽出を行い、それ以外の部分を画像から削除する処理を行う。この判断基準に適合しない場合には余白情報以外として処理される。なお、上記の具体的な数値については、スキャンする本の種類や大きさ等に応じて適宜設定される。
【００４９】
なお、上記実施形態では、各最適化処理について、画像情報の傾き補正、コントラスト調整、明るさ調整、文字輪郭調整、背景色の調整、裏写りの除去処理、モアレの軽減ないしは除去処理、余白の削除処理、表示サイズの調整、情報領域確定処理、等を例示したが、これらの処理は、必ずしも全てを実施する必要はなく、画像変換する書籍の状態や種類等に応じて一部の処理を省略してもよい。しかし、紙面の両面に印刷している書籍の特殊性に配慮した場合、少なくとも裏写りの除去処理、余白の除去処理を行うことが望ましい。これにより、裏写りのないきれいな画像表示、データ量の軽減、表示速度の向上等を図ることができる。
【００５０】
また、各最適化処理のうち、裏写りの除去処理及び余白の除去処理の順序については、実施例のように、裏写りの除去処理をおこなったあと、余白の削除処理を行うことが望ましい。これにより、処理するデータ量を減らすことができ、処理速度の向上を図ることができるからである。
【００５１】
また、実施形態においては、閲覧者１が受付サーバー８を介して電子書籍の閲覧要求を行い、最適化処理が完了した後に取り込みを行う例について説明したが、これに限られるものではなく、受付サーバー８を介さずに、セントラルサーバー９へアクセスするようにしてもよい。また、全ページの最適化処理が完了した後に一括して電子書籍を提供する例について示したが、閲覧機器と常時接続状態として、閲覧機器からの改ページの信号を受けて最適化処理を行うとともに、その処理が完了次第閲覧機器へ送信する形態とすることも可能である。
【００５２】
さらに、図３に示すように、無線の通信機能を有する閲覧端末１０を、セントラルサーバー９へ直接接続する形態も可能である。
【符号の説明】
【００５３】
１  閲覧者
２  記憶装置
３  記憶装置
４  記憶装置
５  チューニングサーバー
６  チューニングサーバー
７  チューニングサーバー
８  受付サーバー
９  セントラルサーバー
１０  閲覧端末
１１  画像読み取り部
２０  画像処理部
【図１】
2012257189.tif 000003
【図２】
2012257189.tif 000004
【図３】
2012257189.tif 000005
【図４】
2012257189.tif 000006
【図５】
2012257189.tif 000007
【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
画像変換された電子書籍情報を、閲覧者からの要求に基づいて閲覧者の閲覧機器に送信する際に、前記電子書籍情報を所定の形式で保存しておき、閲覧者からの閲覧要求に基づいて、要求された電子書籍情報を、前記閲覧機器の閲覧システムに最適な画像形式とする最適化処理を行った後に、前記閲覧機器への送信可能状態にする電子書籍の提供方法であって、
前記最適化処理が、裏写りの除去処理、余白の削除処理を含み、
前記画像変換された電子書籍情報が、本文情報と、本文情報を表示する領域よりも外側の余白領域を示す余白情報と、余白領域内に表示されるタイトルやページ番号等の付加情報と、を含み、
前記余白の削除処理が、前記付加情報の表示領域をページの隅からの距離で算出する処理と、その表示領域のページに対する横幅及び縦幅の関係を算出する処理と、それらの算出結果に基づいて付加情報か否かを判断する処理と、を含み、
前記余白の削除処理では、前記付加情報も余白情報として削除処理し、
かつ、前記余白の削除処理は、前記裏写りの除去処理を行ったあとに行う、ことを特徴とする電子書籍の提供方法。
【請求項２】
前記最適化処理が、画像の傾き補正、コントラスト調整、明るさ調整、文字の輪郭調整、背景色の調整、モアレ調整を含むことを特徴とする請求項１に記載の電子書籍の提供方法。
【請求項３】
前記電子書籍情報を用いて表示される表示領域を、前記本文情報の表示領域と、前記付加情報の表示領域とに分類した後に、前記余白の削除処理を行うことを特徴とする請求項１又は２に記載の電子書籍の提供方法。
【請求項４】
前記余白の削除処理が、前記本文情報を用いて表示される領域を取り囲むように最小ピクセルの矩形線を付加することにより本文情報領域を確定させる情報領域確定処理を含むことを特徴とする請求項１〜３の何れかに記載の電子書籍の提供方法。
【請求項５】
前記閲覧者からの要求が、前記閲覧機器からの通信によって行われることを特徴とする請求項１〜４の何れかに記載の電子書籍の提供方法。
【請求項６】
前記閲覧者からの要求が、前記閲覧機器からの通信によって行われるとともに、この閲覧機器の閲覧システムの情報が、前記通信の信号とともに送信されることを特徴とする請求項１〜５の何れかに記載の電子書籍の提供方法。
【手続補正２】
【補正対象書類名】明細書
【補正対象項目名】００１０
【補正方法】変更
【補正の内容】
【００１０】
上記課題を解決するために、本発明は、画像変換された電子書籍情報を、閲覧者からの要求に基づいて閲覧者の閲覧機器に送信する際に、前記電子書籍情報を所定の形式で保存しておき、閲覧者からの閲覧要求に基づいて、要求された電子書籍情報を、前記閲覧機器の閲覧システムに最適な画像形式とする最適化処理を行った後に、前記閲覧機器への送信可能状態にする電子書籍の提供方法であって、
前記最適化処理が、裏写りの除去処理、余白の削除処理を含み、
前記画像変換された電子書籍情報が、本文情報と、本文情報を表示する領域よりも外側の余白領域を示す余白情報と、余白領域内に表示されるタイトルやページ番号等の付加情報と、を含み、
前記余白の削除処理が、前記付加情報の表示領域をページの隅からの距離で算出する処理と、その表示領域のページに対する横幅及び縦幅の関係を算出する処理と、それらの算出結果に基づいて付加情報か否かを判断する処理と、を含み、
前記余白の削除処理では、前記付加情報も余白情報として削除処理し、
かつ、前記余白の削除処理は、前記裏写りの除去処理を行ったあとに行う、ことを特徴としている。
【手続補正３】
【補正対象書類名】明細書
【補正対象項目名】００１２
【補正方法】変更
【補正の内容】
【００１２】
本発明では、前記最適化処理が、画像の傾き補正、コントラスト調整、明るさ調整、文字の輪郭調整、背景色の調整、裏写りの除去処理、モアレ調整、余白の削除処理のうち、少なくとも裏写りの除去処理、余白の削除処理を含むことを特徴としている。
【手続補正４】
【補正対象書類名】明細書
【補正対象項目名】００１４
【補正方法】変更
【補正の内容】
【００１４】
また、本発明では、前記画像変換された電子書籍情報が、本文情報と、本文情報を表示する領域よりも外側の余白領域を示す余白情報と、余白領域内に表示されるタイトルやページ番号等の付加情報と、を含み、
前記余白の削除処理では、前記付加情報も余白情報として削除処理することを特徴としている。このように処理することで、データ量の軽減、表示速度の向上等をさらに効率的に図ることができる。
【手続補正５】
【補正対象書類名】明細書
【補正対象項目名】００１５
【補正方法】変更
【補正の内容】
【００１５】
また、本発明では、前記電子書籍情報を用いて表示される表示領域を、前記本文情報の表示領域と、前記付加情報の表示領域とに分類した後に、前記余白の削除処理を行うことを特徴としている。このようにすることで、余白の削除処理を確実に行うことができる。
【手続補正６】
【補正対象書類名】明細書
【補正対象項目名】００１６
【補正方法】変更
【補正の内容】
【００１６】
本発明の好ましい形態では、前記余白の削除処理が、前記本文情報を用いて表示される領域を取り囲むように最小ピクセルの矩形線を付加することにより本文情報領域を確定させる情報領域確定処理を含むことを特徴とするものである。
【手続補正７】
【補正対象書類名】明細書
【補正対象項目名】００１８
【補正方法】変更
【補正の内容】
【００１８】
本発明では、前記余白の削除処理が、前記付加情報の表示領域をページの隅からの距離で算出する処理と、その表示領域のページに対する横幅及び縦幅の関係を算出する処理と、それらの算出結果に基づいて付加情報か否かを判断する処理と、を含むことを特徴としている。この処理により、付加情報か否かの判断をさらに確実に行うことができる。
【手続補正８】
【補正対象書類名】明細書
【補正対象項目名】００１９
【補正方法】変更
【補正の内容】
【００１９】
本発明の好ましい形態では、前記閲覧者からの要求が、前記閲覧機器からの通信によって行われることを特徴とするものである。
【手続補正９】
【補正対象書類名】明細書
【補正対象項目名】００２１
【補正方法】変更
【補正の内容】
【００２１】
本発明の好ましい形態では、前記閲覧者からの要求が、前記閲覧機器からの通信によって行われるとともに、この閲覧機器の閲覧システムの情報が、前記通信の信号とともに送信されることを特徴とするものである。
【手続補正１０】
【補正対象書類名】明細書
【補正対象項目名】００２３
【補正方法】変更
【補正の内容】
【００２３】
本発明では、前記最適化処理について、裏写りの除去処理を行ったあと、余白の削除処理を行うことを特徴とするものである。
【手続補正１１】
【補正対象書類名】明細書
【補正対象項目名】００２５
【補正方法】変更
【補正の内容】
【００２５】
本発明によれば、印刷された書籍を一つの画像情報をもとに、閲覧機器に応じた最適化処理を行うことにより、一つの受付窓口から他種類の形式の電子書籍を生成するようにして、作業性を大幅に高めることができ、かつ、閲覧者は、使用している閲覧機器を気にせずに閲覧要求することができ、利便性が大幅に向上する。
また、提供者側においては、元の画像情報が一つで、これを元に各種の閲覧機器に対応することができることから、多数の閲覧機器に特化した処理に比して、大幅な作業の短縮を図ることができ、かつ、納期の短縮も図ることができる。
また、余白の削除処理が、付加情報の表示領域をページの隅からの距離で算出する処理と、その表示領域のページに対する横幅及び縦幅の関係を算出する処理と、それらの算出結果に基づいて付加情報か否かを判断する処理と、を含むことを特徴としているので、付加情報か否かの判断をさらに確実にかつ効率的に行うことができる。
さらに、裏写りの除去処理をおこなったあと、余白の削除処理を行うことにより、処理するデータ量を減らすことができ、処理速度の向上を図ることができる。
【手続補正１２】
【補正対象書類名】明細書
【補正対象項目名】００４２
【補正方法】変更
【補正の内容】
【００４２】
本発明の余白の削除処理では、これらも余白として削除し、本文情報５１のみの画像を切り出す処理を行う。
この処理では、まず、画像の二階調化を行い、黒い連続した点の集まりと、白い連続した領域のサイズで、図４において矩形状の枠線５ａ、５ｂ、５ｃ、５ｄで示すようにそれぞれの集合体に分類する。ここで、枠線５ａは本文情報領域を囲み、枠線５ｂは文書タイトル領域を囲み、枠線５ｃはサブタイトル領域を囲み、枠線５ｄはページ番号領域を囲んでいる。